(57)【要約】【課題】  引戸が閉鎖位置直前で開きっぱなしになるようなこともなく、確実に動作して引戸を常に静かに閉じることができる引戸の閉鎖緩衝装置を提供すること。【解決手段】  引戸側または鴨居側に取り付けられるケーシング内に水平状の溝とこの溝に連なる湾曲状または傾斜状の溝と垂直状の溝から成るガイド溝を形成し、上方に第１爪片、第２爪片を有するカム板の２箇所に設けられたガイドピンを前記ガイド溝に挿通してカム板がガイド溝に案内されて傾動乃至水平直線運動するように構成し、カム板の下方側にカム板を常時水平状の溝の端部側に引き寄せるスプリングダンパー機構を設けると共に、鴨居側または引戸側には前記カム板の第１爪片に当接してカム板の２個のガイドピンが水平状態になるようにするための突起を有するトリガーを設けた引戸の閉鎖緩衝装置において、少なくとも前記カム板のガイドピンがカム板の反転の際に当接するガイド溝の周縁の一部にクリック音の発生を防止する緩衝材を装着したことを特徴とする。【選択図】図４
2008223456.tif 000002
【特許請求の範囲】
【請求項１】
引戸側または鴨居側に取り付けられるケーシング内に水平状の溝とこの溝に連なる湾曲状または傾斜状の溝と垂直状の溝から成るガイド溝を形成し、上方に第１爪片、第２爪片を有するカム板の２箇所に設けられたガイドピンを前記ガイド溝に挿通してカム板がガイド溝に案内されて傾動乃至水平直線運動するように構成し、カム板の下方側にカム板を常時水平状の溝の端部側に引き寄せるスプリングダンパー機構を設けると共に、鴨居側または引戸側には前記カム板の第１爪片に当接してカム板の２個のガイドピンが水平状態になるようにするための突起を有するトリガーを設けた引戸の閉鎖緩衝装置において、
少なくとも前記カム板のガイドピンがカム板の反転の際に当接するガイド溝の周縁の一部にクリック音の発生を防止する緩衝材を装着したことを特徴とする引戸の閉鎖緩衝装置。
【請求項２】
請求項１記載の引戸の閉鎖緩衝装置において、前記ガイド溝の水平状の溝と垂直状の溝が交差する溝周縁にクリック音の発生を防止する緩衝材を装着したことを特徴とする請求項１記載の引戸の閉鎖緩衝装置。
【発明の詳細な説明】
【技術分野】
【０００１】  本発明は、引戸が閉鎖位置直前で開きっぱなしになるようなこともなく、確実に動作して引戸を常に静かに閉じることができる引戸の閉鎖緩衝装置の改良に関するものである。
【背景技術】
【０００２】
【特許文献１】  特開平２−２８６１０２号公報
【発明の開示】
【発明が解決しようとする課題】
【０００３】  従来から引戸が閉鎖位置直前で開きっぱなしになるようなこともなく、確実に動作して引戸を常に静かに閉じることができる引戸の閉鎖緩衝装置として、例えば、  特開平２−２８６１０２号公報に記載される「引出し用閉止装置」の引出を引戸に代え、付勢手段のスプリングをスプリングダンパーとして引戸を常に静かに閉じることができるようにしたものが既に公知である。【０００４】  然しながら、この特開平２−２８６１０２号公報に記載される「引出し用閉止装置」の構成をそのまま利用した従来の引戸の閉鎖緩衝装置にあっては、引戸が閉鎖動作を開始するときに、制御するガイド溝とカム板のガイドピンとの関係においてクリック音が発生し、このクリック音が引戸に共鳴して大きな騒音となる問題点があった。【０００５】  この騒音の原因となるクリック音は、ガイド溝とカム板のガイドピンとの間に僅かな隙間があるため、引戸の閉鎖動作時カム板が反転する際にガイドピンがガイド溝の周縁の一部に急激に当接して発生することが判明している。【０００６】  そこで、ガイド溝の幅をガイドピンの直径と殆ど同じにしてガイド溝とガイドピンの間の隙間をなくせば上記問題点を一応解決することはできるが、ガイド溝の幅をガイドピンの直径と殆ど同じに製作することは極めて難しく、製作できても使用中ガイド溝がガイドピンに擦れて摩耗すれば隙間が生じて上述のクリック音が発生するようになるため、長期の使用には適さないとの結論に至った。
【発明の目的】
【０００７】  本発明は、上記問題点を解決するために、上記クリック音が発生するガイド溝の周縁の一部に緩衝材を装着して騒音が生じるようなことのない引戸の閉鎖緩衝装置を提供することにある。
【課題を解決するための手段】
【０００８】  本発明の引戸の閉鎖緩衝装置は、引戸側または鴨居側に取り付けられるケーシング内に水平状の溝とこの溝に連なる湾曲状または傾斜状の溝と垂直状の溝から成るガイド溝を形成し、上方に第１爪片、第２爪片を有するカム板の２箇所に設けられたガイドピンを前記ガイド溝に挿通してカム板がガイド溝に案内されて傾動乃至水平直線運動するように構成し、カム板の下方側にカム板を常時水平状の溝の端部側に引き寄せるスプリングダンパー機構を設けると共に、鴨居側または引戸側には前記カム板の第１爪片に当接してカム板の２個のガイドピンが水平状態になるようにするための突起を有するトリガーを設けた引戸の閉鎖緩衝装置において、少なくとも前記カム板のガイドピンがカム板の反転の際に当接するガイド溝の周縁の一部にクリック音の発生を防止する緩衝材を装着したことを特徴とするものである。
【発明の作用】
【０００９】  本発明装置では、カム板が動作時に反転してガイドピンがガイド溝の周縁の一部に当接しても当接個所に緩衝材を装着してあるので、クリック音が発生せず、引戸の静かな開閉動作が実現できる。
【実施例１】
【００１０】  図１は、本発明装置を取り付けた引戸の全体正面図、図２は、本発明装置の引戸開放時の状態を表わす側面図、図３は、同装置の引戸閉鎖途中の状態を表わす側面図、図４は、同装置の引戸閉鎖時の状態を表わす側面図、図５は、カム板が反転したときのガイドピンとガイド溝との関係を表わす要部拡大側面図、図６は、トリガーを引戸側に取り付けた状態の側面図である。【００１１】  図において、１は、引戸側に取り付けられる装置のケーシングであって、引戸Ａの上端に形成された掘り込み孔に嵌め込まれて取り付けられるようになっている。【００１２】  ２は、ケーシング１の側板に形成されたガイド溝であって、水平状の溝２−１と湾曲状の溝２−２及び垂直状の溝２−３からなっており、この垂直状の溝２−３と交差する水平状の溝２−１の上部周縁に後述する緩衝材を装着する凹部２ａが形成されている。つまり、この凹部２ａは湾曲状の溝２−２を形成するときに緩衝材を入れる空間部として形成しておくものである。【００１３】  ３は、上方に第１爪片３−１、第２爪片３−２を有するカム板であって、このカム板３の２箇所に設けられたガイドピン３ａ、３ｂが前記ガイド溝２に挿通され、このガイドピン３ａ、３ｂのガイド溝２内での動きによってカム板３が傾動乃至水平直線運動できるように構成されている。【００１４】  ４は、スプリング４−１及びエアーシリンダー４−２から構成されるカム板３を常時水平状の溝２−１の端部側に緩やかに引き寄せるためのスプリングダンパー機構であって、シリンダー内に始めからスプリングを収納した既存のガススプリング等のスプリングダンパーを使用することも可能であるが、本実施例では価格面からそれぞれ別体のものを採用した。【００１５】  ５は、上記カム板３の動きを制御するトリガーであって、その基板５−１が引戸Ａの上端が嵌められる鴨居Ｂの溝に取り付けられるようになっており、基板５−１には前記カム板３の第１爪片３−１、第２爪片３−２に当接する角柱状の突起５−２が一体形成乃至ネジ嵌め込み式で装着されるようになっているが、引戸を鴨居に嵌めこんだり上下調節をするときに誤って突起５−２を損傷しないようにするためには、後から突起５−２を基板５−１に装着できるような構造が好ましい。【００１６】  ６は、前記ケーシング１のガイド溝２の水平状の溝２−１と垂直状の溝２−３が交差する個所に付設した凹部２ａに嵌め込んで接着固定される軟質ゴム、軟質合成樹脂等の緩衝材で、ケーシング１は通常強度面から硬質または半硬質合成樹脂で成形されるので、緩衝材として軟質合成樹脂を使用する場合は硬質−軟質の一体成形方法を採用してもよい。【００１７】  次に、本発明装置による作動状態を図について具体的に説明する。【００１８】  先ず、引戸Ａが開放しているときには、カム板３の一方のガイドピン３ｂはガイド溝２の垂直状の溝２−３の位置にあり、カム板３は図２のように傾いた状態にある。【００１９】  この状態においては、ガイドピン３ｂがガイド溝２の垂直状の溝２−３の位置でロックされてカム板３は動けず、スプリング４−１は引き伸ばされた侭の状態を保持している。【００２０】  この状態から引戸Ａを閉鎖位置の近傍まで閉めていくと、引戸Ａの上��が嵌められる鴨居Ｂの溝に取り付けられているトリガー５の突起５−２にカム板３の第１爪片３−１が当接する。【００２１】  この状態から更に引戸Ａを閉鎖方向に押してやると、カム板３はガイドピン３ａを支点として図３のように反時計方向に傾動し、ガイドピン３ｂがガイド溝２の垂直状の溝２−３から外れることによってロックが解除され、ガイドピン３ａ、３ｂが水平状の溝２−１に案内されてカム板３はスプリング４−１の復元力によって図面左方向に移動する。【００２２】  このカム板３の反時計方向の傾動の際にガイド溝２の水平状の溝２−１と垂直状の溝２−３が交差する溝周縁にガイドピン３ｂが図５の如く勢いよく当接しようとするが、この当接部分に緩衝材６が設けられているので、クリック音の発生が防止される。【００２３】  カム板３が図面左方向に移動するということは、トリガー５の突起５−２が固定状態であるからケーシング１が取り付けられている引戸Ａが右方向即ち閉鎖方向に移動し、エアーシリンダー４−２の緩衝作用によって緩やかに閉鎖し、戸先が縦枠Ｃに押し付けられるように当たって完全閉鎖する。（図４）【００２４】  図４の閉鎖状態において、引戸Ａを開放方向に押すと、トリガー５の突起５−２に第２爪片３−２が当接しているので、カム板３は引戸Ａを開放方向に押す力によってスプリング４−１を引き伸ばしながら右方向に移動し、ガイドピン３ｂがガイド溝２のアール曲線状の溝２−２の位置までくると、ガイドピン３ａを支点として時計方向に傾動し、ガイドピン３ｂがロック溝２−３の位置でロックされてカム板３は元の引戸Ａの開放状態に戻る。【００２５】  以上のように、引戸Ａの開閉の都度上記作動を反復して引戸の閉鎖時における緩衝作用を行うのである。【００２６】  また、本実施例ではケーシング１を引戸Ａ側に、トリガー５を鴨居Ｂ側に取り付けたが、図６のように逆にケーシング１を鴨居Ｂ側に、トリガー５を引戸Ａ側に取り付けてもその作用は全く同じである。
【発明の効果】
【００２７】  以上述べたように、本発明の引戸の閉鎖緩衝装置によれば、引戸側または鴨居側に取り付けられるケーシング内に水平状の溝とこの溝に連なる湾曲状または傾斜状の溝と垂直状の溝から成るガイド溝を形成し、上方に第１爪片、第２爪片を有するカム板の２箇所に設けられたガイドピンを前記ガイド溝に挿通してカム板がガイド溝に案内されて傾動乃至水平直線運動するように構成し、カム板の下方側にカム板を常時水平状の溝の端部側に引き寄せるスプリングダンパー機構を設けると共に、鴨居側または引戸側には前記カム板の第１爪片に当接してカム板の２個のガイドピンが水平状態になるようにするためのトリガーボルトを有するトリガー装置を設けた引戸の閉鎖緩衝装置において、少なくとも前記カム板のガイドピンがカム板の反転の際に当接するガイド溝の周縁の一部にクリック音の発生を防止する緩衝材を装着したものであるから、ガイド溝とカム板のガイドピンとの間にある隙間に起因するクリック音の発生を防止することができ、引戸の静かな開閉動作が望めるものである。
【図面の簡単な説明】
【００２８】
【図１】  本発明装置を取り付けた引戸の全体正面図である。
【図２】  本発明装置の引戸開放時の状態を表わすである。
【図３】  同装置の引戸の閉鎖途中の状態を表わす側面図である。
【図４】  同装置の引戸閉鎖時の状態を表わす側面図である。
【図５】  カム板が反転したときのガイドピンとガイド溝との関係を表わす要部拡大側面図である。
【図６】  トリガーを引戸側に取り付けた状態の側面図である。
【符号の説明】
【００２９】      １          ケーシング
２          ガイド溝
３          カム板
４          スプリングダンパー機構
５          トリガー
６          緩衝材
【図１】
2008223456.tif 000003
【図２】
2008223456.tif 000004
【図３】
2008223456.tif 000005
【図４】
2008223456.tif 000006
【図５】
2008223456.tif 000007
【図６】
2008223456.tif 000008